(57)【特許請求の範囲】
【請求項１】
円筒状の筒体９a内に螺旋体１０を回転可能に内装した２番揚穀筒９を、脱穀機１の２番樋７０と還元口９０との間に設けて、該２番樋７０から送給される２番物を、２番揚穀筒９及び還元口９０を介して脱穀機１内の選別部５に還元するようにした脱穀機において、
前記２番揚穀筒９の筒体９aの中途の一部に周方向の所定範囲だけ膨出させた膨出壁９３を設けて螺旋体１０との間に処理室９Ｓを形成した脱穀機の２番揚穀筒。
【請求項２】
膨出壁９３は、揚送方向下手側の緩傾斜壁９３ａと揚送方向上手側の急傾斜壁９３ｂとを形成した請求項１の脱穀機の２番揚穀筒。
【請求項３】
螺旋体１０の作用面上に前記膨出壁９３に対向する位置に、放射状に処理片１５を配置した請求項１又は２の脱穀機の２番揚穀筒。
【発明の詳細な説明】
【０００１】
【発明の属する技術分野】
本発明は脱穀機の２番揚穀筒に関する。
【０００２】
【従来の技術】
従来、扱室で脱穀した脱穀物を揺動選別体に選別して１番物を回収するとともに、２番物を２番揚穀筒から還元口を介して揺動選別体に還元して再選別処理を行う脱穀機は既に知られている。
そして、この２番揚穀筒は円筒状の筒体内に、螺旋軸に螺旋板を巻き付けるとともに還元口に臨む放出羽根を有する螺旋体を回転駆動するように設けて構成されるている。
【０００３】
【発明が解決しようとする課題】
しかし、前記従来の構成による２番揚穀筒は、２番物を円筒内において螺旋体によって単に揚送して還元するだけであるので、例えば濡れた状態の穀稈や屑の発生の多い穀稈を脱穀した際に生ずる多量の２番物を揚送還元する場合に、この２番物が団塊状となって揚送されるために、２番揚穀筒内で詰りを生じたり、団塊状のまま揺動選別体に還元されて良好な選別を行うことが困難となると言う問題がある。
【０００４】
【課題を解決するための手段】
本発明は前記従来の装置の持つ問題点を解決するためになされたものであって、円筒状の筒体内に螺旋体を回転可能に設けた２番揚穀筒を、脱穀機の２番樋と還元口との間に設けて、該２番樋から送給される２番物を２番揚穀筒及び還元口を介して脱穀機１内の選別部に還元するようにした脱穀機において、前記２番揚穀筒の筒体の、中途の一部に周方向の所定範囲だけ膨出させた膨出壁を設けて螺旋体との間に処理室を形成している。
【０００５】
また、膨出壁は揚送方向下手側の緩傾斜壁と揚送方向上手側の急傾斜壁とで形成していんる。さらに、螺旋体の作用面上に膨出壁に対向する部位に処理片を設けている。
【０００６】
【発明の実施の形態】
以下、図１〜図４を参照して本発明に係る脱穀機の２番揚送筒の実施の形態を説明する。
図１において１は、コンバイン等に搭載可能な脱穀機であり、この脱穀機１は、回転可能に軸支した扱胴２ａと、この扱胴２ａに沿って設けた受網２ｂとからなる扱室２と、この扱室２の終端部に連設された処理胴３ａとクリンプ網３ｂとからなる処理室３を設けるとともに、これらの下方で、前後方向に配設した送風ファン４ａ及び俳塵ファン４ｂとで形成される選別風路４中に、前後方向に揺動運動して脱穀物の揺動選別を行う揺動選別体５（選別部）を設けている。
【０００７】
そしてこの揺動選別体５は、扱室２の下方の受網２ｂの下方で、前側に位置する揺動流板５ａと、これに連なるチャフシーブ５ｂと、このチャフシーブ５ｂの下方に配置される選別網５ｃからなる選別体５Ｓと、この選別網５ｃの下方に斜設された流板５ｄとこの流板５ｄの終端部から後方に向けて突設されたストローラック５ｅ等から構成している。
【０００８】
また、前記揺動選別体５の下方には、従来の装置と同様な構造を持つ横向の１番樋７ａに１番螺旋７ｂを回転可能に設け、その移送方向の軸端に設けた１番揚穀筒７ｃによって、選別された１番物を穀粒タンク１Ｔ内に収容されるようにしている。
また、図２に示す如く横向の２番樋７０内に２番螺旋７１を回転可能に設け、その移送方向の軸端に構成した伝動部７２において、以下に詳述する本発明に係る２番移送筒９（２番物還元用筒）内の螺旋体１０を回転駆動するように構成しており、その上端に開口した放出口（還元口）９０から揚送中に処理した２番物を前記揺動選別体５のチャフシーブ５ｂ上に向けて放出還元するように構成している。
【０００９】
即ち、図２に示す如く前記２番揚穀筒９は、２番樋７０と還元口９０との間において脱穀機壁１ａに沿って取付けられており、この実施形態においては２揚穀筒９は図４に示すように脱穀機壁１ａ側と固定して、後述する抵抗片９４を設けた固定部Ａと、この固定部Ａに取付部材Ｃによって取付けられる膨出壁９３を有する蓋部Ｂとで構成し、その２番還元筒９の下方側を支持筒部９１、上方側を処理筒部９２となしている。
【００１０】
そして前記螺旋体１０の螺旋軸１１の下方の軸端を、支持筒９１の下部に設けた伝動ケース９１ａに駆動可能に軸支し、且つ上方の軸端を処理筒９２の上壁９２ａに設けたメタル部９２ｂで軸支している。
また、螺旋体１０は、螺旋軸１１に従来の装置と同様な捻れ板で形成した螺旋板１２を巻き付けて固着するとともに、その上端に前記還元口９０に臨む放出羽根板１３を設けている。
【００１１】
そして上記螺旋板１２は、後述する処理筒９２の膨出壁９３の少なくとも上下長さ範囲において、その移送方向側の螺旋面上に所定間隔を持たせて以下の板形状よりなる処理片１５を複数枚を放射状に設けている。
この処理片１５は、図３に示すように放射方向の長さの中途部から螺旋軸１１側を低い高さｈの巾狭片部１５ａとし、これより螺旋板１２の外周に至る側を高い高さＨの巾広片部１５ｂとなした板状片で形成している。
【００１２】
次に、図２，図３及び図４を参照して２番揚穀筒９の処理筒９２の構造の詳細について説明する。
処理筒９２は、側面視において機体外方側の中途部を周方向の所定範囲だけ中高に膨出させた膨出壁９３に形成しており、この膨出壁９３はその下側に緩傾斜壁９３ａと上側に急傾斜壁９３ｂと、螺旋体１０外周との間に広い空間部となる壁面によって処理室９Ｓを形成している。
【００１３】
なお、前記膨出壁９３の範囲は、周方向の約１／３〜１／２の範囲であり、更に膨出部の高さは半径の約１／５〜１／３である。そして緩傾斜壁９３ａの角度は５〜１５度であり、急傾斜壁９３ｂの角度は３０〜４０度である。
また、処理筒９２は上記膨出壁９３と対向する機側よりの内周壁に沿わせ、断面が角型で湾曲した線状部材で突条に形成した抵抗片９４を、螺旋体１０の移送ピッチと略等間隔を有して固着している。そしてこの抵抗片９４は図３に示すようにその傾斜方向を対向する螺旋体１０の螺旋板１２の捻れ方向と逆方向で、且つ螺旋面と角度θをもって傾斜している。なお、この抵抗片９４は螺旋体１０の螺旋とは反対向きの螺旋の一部を形成したいるともいえる。
【００１４】
以上の構成によって、本発明の２番揚穀筒９を備えた脱穀機１は、刈取穀稈を扱室２内において扱胴２ａによって脱穀するとともに、脱穀された脱穀物を揺動選別体５を介して揺動選別処理し、排稈をフィードチェン２Ｆ及び排稈チェン２Ｈを介して機外に排出しながら脱穀作業を連続的に行うことができる。
また、前記のようにして選別処理された脱穀物のうち、１番物は１番樋７ａ及び揚穀筒７ｃを介して穀粒タンク１Ｔ内に収容される。一方、２番物は図２に示すように２番樋７０から２番揚穀筒９に送給され、その揚送中途において以下に述べる、ほぐし処理を行いながら還元口９０から放出羽根板１３によって揺動選別体５上に還元放出され、この揺動選別体５による選別に無理を与えることなく円滑に処理する。
【００１５】
即ち、２番揚穀筒９に送給された２番物は、螺旋体１０の回転に伴って支持筒９１内において速やかに揚送されるので、２番樋７０からの継送が確実に行われる。
そして揚送される２番物は、処理筒９２内において膨出壁９３を構成している上方に向けて徐々に拡開する緩傾斜壁９３ａによって圧力緩和作用を受け、螺旋体１０の螺旋板１２の作用面と、この作用面上に設けた処理片１５の回転とそれに伴う遠心力によって外方に向けて揚送されながら順次この処理筒９２より放擲されることになる。
【００１６】
従って団塊状で処理筒９２内を揚送されてくる２番物（団塊２番物）に対して、前記膨出壁９３と螺旋体１０との間に形成した処理室９Ｓにおいて緩やかに、徐々にほぐし処理をすることができる。
従って、処理筒９２に膨出形成した処理室９Ｓ内において、団塊状態の２番物に緩衝作用とほぐし作用を与えて詰まることなく、また、２番物を持回り滞留をさせながらこの２番物中の屑類と穀粒の分離を良好に行うことができる。
【００１７】
また、この処理室９Ｓの揚送上手側に形成した急傾斜壁９３ｂは、この処理室９Ｓ内の未処理中の２番物の揚送を抑制するように制動作用を与え、螺旋体１０との間でほぐし処理を一層促進させるものである。
また、螺旋体１０の作用面上に放射状に設けた処理片１５により、作用面上の２番物を攪拌してほぐしながら外周方向に勢いよく放擲し、その持回り及び滞留によるほぐし処理を効率的に行わせることができる。
【００１８】
そして図示例のように処理片１５はその螺旋軸１１側に巾狭片部１５ａを形成すると共に先端部側にこれに連なる巾広片部１５ｂを形成して段付状としているため、遠心力の小さい螺旋軸１１側において２番物の巾狭片部１５ａ上の乗り越え移動を自由に行わせ、螺旋軸１１への巻付きや過大な回転抵抗となることを防止する。そして遠心力の大きい先端部の巾広片部１５ｂで攪拌及び放擲を行い、処理筒９２との間でほぐし処理を良好に行うことができる。
【００１９】
また、処理筒９２の内壁に突設した抵抗片９４は、螺旋体１０によって揚送される２番物に対して揚送方向への抵抗を与えて上方への移動を規制するもので、螺旋板１２との間で充分な時間をかけて２番物のほぐし処理を行なって、ささり粒や枝梗の穀粒の分離を良好に行い単粒化させることができる。
この場合、処理筒９２の内面に設けた抵抗片９４を、図３に示すように対向する螺旋体１０の螺旋方向と逆向きに傾斜させて突設しており、２番物が上方へ移動することをより規制することができるとともに、２番物を抵抗片９４と螺旋板１２との交叉部との間でほぐし処理を良好に行って２番物中の穀粒の単粒化を促進することができるものである。
【００２０】
従って、濡れたり、屑類の多い状態の２番物を、２番揚穀筒９内で詰り等を生じさせることなく良好にほぐし処理して、揺動選別体５による再選別を円滑に行うことができる。また、２番揚穀筒９長さを自由に設定することができる等の利点もある。
【００２１】
【発明の効果】
２番揚穀筒内に、送給される２番物を処理筒の中途部に周方向の所定範囲だけ膨出させた膨出壁と螺旋体との間に形成される処理室内で滞留させながら、持回りを促進させて攪拌作用を行うことにより、枝梗や穂切類をほぐし、そして拡散させ、穀粒を単粒化させて還元口から選別部に放出することができるので、選別部に還元された２番物の選別を効率的に行うことができ、これにより脱穀機の性能を向上させることができる。
【００２２】
またこの際、２番物は処理室内に形成された緩傾斜壁部分において、回転揚送に伴う攪拌作用を徐々に与えて穀粒の単粒化させた状態で、還元口から選別部に放出することができるので、この選別部に還元された２番物の選別を良好に行うことができ、これにより脱穀機の性能を向上させることができる。
また、この際、２番物は処理室内に形成された緩傾斜壁部分において、回転揚送に伴う攪拌作用を徐々に与えて、穀粒の単粒化を促進しながら、ほぐし拡げ、また処理室内に形成した急傾斜壁によって処理中の２番物が未処理のまま揚送排出されることを抑制することができる。
【００２３】
また螺旋体に処理片を設けることにより、２番物の持回りとほぐし拡散を促進させて屑類と穀粒の分離を行い、良好な処理をすることができる。
【図面の簡単な説明】
【図１】本発明による脱穀機の側断面図である。
【図２】２番揚穀筒の正断面図である。
【図３】処理筒の要部を示す側断面図である。
【図４】処理筒を分解して示す斜視図である。
【符号の説明】
１  脱穀機                  ２  扱室
５  揺動選別体（選別部）    ９  ２番揚穀筒
９Ｓ  処理室                １０  螺旋体
１１  螺旋軸                １２  螺旋板
１３  放出羽根板            １５  処理片
１５ａ  巾狭片部            １５ｂ  巾広片部
７０  ２番樋                ９０  還元口
９１  支持筒                ９２  処理筒
９３  膨出壁                ９３ａ  緩傾斜壁
９３ｂ  急傾斜壁            ９４  抵抗片
【図１】
0003586068.tif 000002
【図２】
0003586068.tif 000003
【図３】
0003586068.tif 000004
【図４】
0003586068.tif 000005